(57)【要約】【課題】  本発明は、例えばハードディスクユニット等、開口内に収容されてコネクタ結合されるユニットを備えた演算装置に関し、コネクタの誤結合や破損を有効に防止する。【解決手段】  ユニット側コネクタ２７３を備えたユニット２７０を収容するための開口２６５が形成された筐体と、開口２６５の奥側の、その開口を覗く位置に配置された、ユニット側コネクタと結合する装置側コネクタ２６９とを備え、筐体が、開口２６５の側面からその開口内側に突出した、ユニット２７０が開口内に正規の姿勢で配置されてユニット側コネクタ２７３が装置側コネクタ２６９に挿抜される状態ではユニット２７０との干渉を免れるとともに、ユニット２７０の、少なくとも手前側が持ち上がった状態で装置側コネクタ２６９に向って押されたときにそのユニット２７０に干渉する、誤操作防止用の突起部２６６ａ，２６６ｂを有する。【選択図】        図２８
2011216125.tif 000002
【特許請求の範囲】
【請求項１】
演算処理を行なう演算装置において、
ユニット側コネクタを備えたユニットを収容するための開口が形成された筐体と、
前記開口の奥側の、該開口を覗く位置に配置された、前記ユニット側コネクタと結合する装置側コネクタとを備え、
前記筐体が、前記開口側面から該開口内側に突出した、前記ユニットが該開口内に正規の姿勢で配置されて前記ユニット側コネクタが前記装置側コネクタに挿抜される状態では該ユニットとの干渉を免れるとともに、該ユニットの、少なくとも手前側が持ち上がった状態で前記装置側コネクタに向って押されたときに該ユニットに干渉する、誤操作防止用の突起部を有することを特徴とする演算装置。
【発明の詳細な説明】
【技術分野】
【０００１】
本発明は、演算処理を行なう演算装置、特には、例えばハードディスクユニット等のユニットを備えた演算装置に関する。
【背景技術】
【０００２】
従来より、演算装置の１つであるノート型パーソナルコンピュータ（以下、「ノートＰＣ」と略記する）には、ハードディスクユニットが内蔵されている。このハードディスクユニットにはハードディスクが組み込まれており、そのハードディスクをアクセスするにあたっては機械的な動きを伴うため比較的故障し易い。このため、例えばノートＰＣの底部にハードディスクユニット装着用の開口を設けておき、その開口にハードディスクユニットを収容してそのハードディスクユニット側のコネクタをノートＰＣ本体側のコネクタに結合する構造を採用し、装着自在としている。
【０００３】
ノートＰＣ本体側のコネクタにハードディスクユニット側のコネクタを正しく結合させるには、ハードディスクユニット装着用の開口内にハードディスクが水平に置かれ、その後そのハードディスクをスライドさせることによってコネクタどうしの正しい結合が行なわれる。
【０００４】
しかしながら、ノートＰＣ全体の小型化等の要請からハードディスクユニット装着用の開口も十分な余裕をもっては広がっておらず、このため、例えば斜めのまま差し込んでコネクタを破損させたり、あるいは誤結合に気づかずに正常な動作が行なわれないという事故が発生することがあり、従来より問題となっている。
【０００５】
特許文献１には、装置本体側のコネクタの、ハードディスクユニット側のコネクタピン挿入用の開口を上向きにも開けることにより、ハードディスクユニット装着用の開口を更に狭める工夫が開示されている。この工夫によれば、開口の面積を狭めることは可能であるが、斜めのまま差し込まれる可能性は排除されない。
【０００６】
特許文献２には、ハードディスクユニットの、コネクタ側先端に突出部を設けておき、ハードディスクユニットが斜めのまま差し込まれそうになるとその突出部が装置側コネクタに当たり結合が阻止されるという構造が示されている。この特許文献２に開示された技術によれば、ハードディスクユニットが斜めに差し込まれそうになったときはコネクタの結合が阻止されて破損等が防止される。しかしながら、ハードディスクユニット側のコネクタピンは通常上下２段に配列されており、装置本体側のコネクタも、それら上下２段のコネクタピンを受け入れる、上下２段に配列された挿入口を有するコネクタであり、この特許文献２の技術では、ハードディスクユニットは水平に保たれているもののコネクタピン１段分だけ浮いた状態にあるときにコネクタを結合させようとすると、ハードディスクユニットの下段のコネクタピンが装置本体側の上段の挿入口に挿入されてしまうという誤結合は防止されない。
【０００７】
さらに、特許文献３には、複数のハードディスク装置を収納したケースを引き出すときの省スペース構造が示されているが、誤結合防止とは無関係である。
【０００８】
上記ような誤結合の問題は、ハードディスクユニットに限らず、開口内に収納されてコネクタにより結合される構造のユニットを備える場合に共通の問題である。
【先行技術文献】
【特許文献】
【０００９】
【特許文献１】特開２００２−９３５０１号公報
【特許文献２】特開２００１−１４８３９号公報
【特許文献３】特開２００２−２９７２６３号公報
【発明の概要】
【発明が解決しようとする課題】
【００１０】
本発明は、上記事情に鑑み、開口内に収容されコネクタ結合されるユニットを備え、そのユニットのコネクタの誤結合や破損が有効に防止された演算装置を提供することを目的とする。
【課題を解決するための手段】
【００１１】
上記目的を達成する本発明の演算装置は、演算処理を行なう演算装置において、
ユニット側コネクタを備えたユニットを収容するための開口が形成された筐体と、
上記開口の奥側の、その開口を覗く位置に配置された、ユニット側コネクタと結合する装置側コネクタとを備え、
上記筐体が、上記開口側面からその開口内側に突出した、上記ユニットが開口内に正規の姿勢で配置されてユニット側コネクタが装置側コネクタに挿抜される状態ではユニットとの干渉を免れるとともに、ユニットの、少なくとも手前側が持ち上がった状態で装置側コネクタに向って押されたときにそのユニットに干渉する、誤操作防止用の突起部を有することを特徴とする。
【００１２】
ここで、「ユニットの少なくとも手前側が持ち上がった状態」というのは、ユニットの手前側が持ち上がった状態にあればよく、ユニットが斜めになって手前側が持ち上がっている状態、およびユニット全体が水平に持ち上がっている状態の双方が含まれる。
【００１３】
本発明の演算装置は、上記の突起部を有するため、ユニットが斜めになった状態およびユニットが水平であっても浮き上がった状態のいずれにおいても誤操作が防止され、コネクタの誤結合による動作不良やコネクタの破損等の事故が防止される。また、コネクタが結合した状態にあるユニットを取り出す際も、上記の突起部が有効に作用しユニットの手前側を持ち上げて斜めに引き抜かれてしまうことが防止され、コネクタの結合を外すときも正しい姿勢で外されることになり、不良の発生が防止される。
【００１４】
ここで、本発明の演算装置において、上記突起部が、上記開口の両側に形成されていることが好ましい。
【００１５】
開口両側に突起部が形成されていると、突起部がユニットに干渉するときは左右両側で干渉することになり、突起部が一方にのみ設けられている場合に生じるおそれのある、ユニットに不用意な斜めの力が加わることが防止される。
【００１６】
また、上記本発明の演算装置は、上記ユニットが、金属製の枠体を備え、その枠体が、そのユニットの、少なくとも手前側が持ち上がった状態で装置側コネクタに向かって押されたときに上記突起部に干渉する干渉部を有するものであることが好ましい。
【００１７】
干渉部を枠体に設けることにより、そのユニットの、枠体を除く本体部は従来のままにして枠体のみその突起部に対応した干渉部を有するものとすればよく、本発明を適用するための従来との変更点が少なくて済む。
【００１８】
また、本発明の演算装置において、ユニット側コネクタは、上下２段に配列された複数の接続ピンを備えたコネクタであり、装置側コネクタは、ユニット側コネクタに上下２段に配列された複数の接続ピンがそれぞれ挿入される、上下２段に配列された複数の挿入口を有するコネクタであってもよい。また、上記ユニットは、ハードディスクを内蔵してハードディスクをアクセスするハードディスクユニットであってもよい。
【００１９】
また、本発明は、例えばノートＰＣ等、入力操作用のキーが配列されたキーボードを上面に備えた、演算処理を担う本体ユニットと、画像を表示する表示画面を有し本体ユニットの奥側において本体ユニットにヒンジ接続されて本体ユニットに対し開閉自在な表示ユニットとを備えた演算装置に好適に適用することができる。この場合、上記開口は、本体ユニットの下面に設けられた開口であることが好ましい。
【００２０】
上記のユニット（例えばハードディスクユニット）は装置本体から取り外されることはあるが取り外しの頻度は低く、したがって本体ユニット下面に配置すると、普段の取扱いの邪魔にならずに済む。
【発明の効果】
【００２１】
以上説明したように、本発明によれば、コネクタの誤結合や破損等の不具合が有効に防止される。
【図面の簡単な説明】
【００２２】
【図１】閉状態にあるノートＰＣの斜視図である。
【図２】閉状態にあるノートＰＣを前方斜めから見た斜視図である。
【図３】閉状態にあるノートＰＣを後方斜めから見た斜視図である。
【図４】図１〜図３に示すノートＰＣの、閉状態における手前側の側面を示した図である。
【図５】図１〜図３に示すノートＰＣの、閉状態における奥側の側面を示した図である。
【図６】図１〜図３に示すノートＰＣの、閉状態における右側の側面を示す図である。
【図７】図１〜図３に示すノートＰＣの、閉状態の左側の側面を示す図である。
【図８】ノートＰＣの本体ユニットの上面を、蓋部材を外して示した図である。
【図９】本体ユニット上面のキーボードの直ぐ奥側を示した拡大図である。
【図１０】本体ユニットの筐体の上カバーおよびキーボードを取り外して、ファンおよび放熱部材の部分を示した図である。
【図１１】図１０と同一の状態の本体ユニットの放熱部材の部分を図１０とは角度を変えて示した図である。
【図１２】金属板を取り外し、ファンと放熱部材の平面的な位置関係を示した図である。
【図１３】放熱部材の平面図である。
【図１４】放熱部材の斜視図である。
【図１５】メイン基板上の発熱部品を示した図である。
【図１６】ＣＰＵおよびチップセットからなる２つの発熱部品と、それらの発熱部品の上に接触する放熱部材の下面を示した図である。
【図１７】図１５、図１６に示す例と比べＣＰＵとチップセットの配置が異なる別のメイン基板を示す図である。
【図１８】図１７に示す種類のノートＰＣにおける、ＣＰＵとチップセットからなる２つの発熱部品と、それらの発熱部品の上に接触する放熱部材の下面を示した図である。
【図１９】ノートＰＣの本体ユニットの底面を示した斜視図である。
【図２０】図１９に示すノートＰＣの本体ユニットの底面を、ハードディスクドライブユニット装着用の開口を塞ぐ蓋部材を取り外して示した図である。
【図２１】ハードディスクドライブユニットを収容する開口、およびその開口内に収容されたハードディスクドライブユニットを示す拡大図である。
【図２２】ハードディスクドライブユニットを１つの角度から見て示す図である。
【図２３】ハードディスクドライブユニットを別の角度から見て示す図である。
【図２４】ハードディスクドライブユニットをさらに別の角度から見て示す図である。
【図２５】ハードディスクドライブユニットに備えられたユニット側コネクタの斜視図である。
【図２６】ハードディスクドライブユニットに備えられたユニット側コネクタと結合する装置側コネクタを示す図である。
【図２７】ハードディスクドライブユニットが収容される開口の一方の側面を示した斜視図である。
【図２８】ハードディスクドライブユニットを開口に収容しようとしてそのハードディスクドライブを開口内に正しく配置した状態を示した図である。
【図２９】ハードディスクドライブユニットを開口に収容しようとしてそのハードディスクドライブを開口内に正しく配置した状態を示したである。
【図３０】ハードディスクドライブユニットの後ろが持ち上がった状態で開口に配置された様子を示す図である。
【図３１】ハードディスクドライブユニットが収容される開口を塞ぐ蓋部材の裏面を示す図である。
【図３２】ＰＣカードスロットを示す斜視図である。
【図３３】図３１にも示すＰＣカードスロットを、図６に示す２つの蓋部材のうちの下向きに開く蓋部材を開けて示す斜視図である。
【図３４】本実施形態のノートＰＣのＰＣカードスロット（Ａ）と、従来のＰＣカードスロット（Ｂ）とを比較して示す図である。
【図３５】ノートＰＣの本体ユニットの筐体のうちの上カバーを取り外して示したディスクドライブユニットの斜視図である。
【図３６】本体ユニット筐体の、ディスクドライブユニットが挿入されるディスクドライブユニット収容部を示した図である。
【図３７】ディスクドライブユニット収容部の一方の側端部を示した図である。
【図３８】ディスクドライブユニット収容部のもう一方の側端部を示した図である。
【図３９】サブ基板およびフラットケーブルを取り外して、そのサブ基板の下に敷かれたシートを示した図である。
【図４０】メイン基板とサブ基板との双方を取り外して、それらの基板の下に広がる絶縁シートを示した図である。
【発明を実施するための形態】
【００２３】
以下、本発明の一実施形態であるノート型パーソナルコンピュータ（ノートＰＣ）について説明する。
［全体構成］
図１は、閉状態にあるノートＰＣの斜視図、図２は閉状態にあるノートＰＣを前方斜めから見た斜視図、図３は、閉状態にあるノートＰＣを後方斜めから見た斜視図である。
【００２４】
このノートＰＣ１０は、本体ユニット２０と表示ユニット３０とから構成されており、表示ユニット３０は、本体ユニット２０の奥側で、ヒンジ機構４０により、本体ユニット２０に開閉自在にヒンジ接続されている。
【００２５】
本体ユニット２０は、その筐体の内部に、ＣＰＵやその他の回路部品、ハードディスクを内蔵したハードディスクドライブユニット、ＣＤやＤＶＤが取出し自在に装填されてアクセスされるディスクドライブユニット、ＰＣカードが挿入されてアクセスされるＰＣカードスロット、様々なタイプのメモリカードが挿入されてアクセスされるメモリカードスロット、および、その他の様々な部品が備えられている。
【００２６】
また、この本体ユニットの上面には、キーボード２１、タッチパッド２２、タッチパッド用の左右の押ボタン２２ａ，２２ｂ、それらの押ボタン２２ａ，２２ｂの中央に置かれた指紋センサ２３、右手奥に配置された電源ボタン２４、複数の表示ランプ２５、複数のファンクションボタン２６等が配置されている。
【００２７】
また、この本体ユニット２０の上面の手前側の左右中央には、表示ユニット３０を閉じたときのロック用の穴２７が設けられている。この穴２７には、表示ユニット３０を本体ユニット２０の上に閉じたときに、表示ユニット３０に設けられているロック爪３１が入り込み、表示ユニット３０が本体ユニット２０から不用意には開かないようにロックされる。このロックは、表示ユニット３０に設けられたロック解除ボタン３２を押すことによって外れ、表示ユニット３０をそのまま手で持ち上げて開くことができる。また、本体ユニット２０の上面のキーボード２１の直ぐ奥には、左右に細長い蓋部材２８が備えられている。この蓋部材２８の詳細については後述する。
【００２８】
表示ユニット３０には、上述したロック爪３１やロック解除ボタン３２の他、閉時に本体ユニット２０側を向く内側の面に表示画面３３が備えられており、本体ユニット２０内のＣＰＵからの指示に応じてその表示画面上に様々な画像が表示される。
【００２９】
ヒンジ機構４０は、表示ユニット３０を本体ユニット２０に対し開閉自在に軸支するものであり、表示ユニット３０が任意の開き角度に保持されるようにフリクションで支持している。
【００３０】
図４は、図１〜図３に示すノートＰＣの、閉状態における手前側の側面を示した図である。
【００３１】
本体ユニット２０の手前側の側面には、この図４に示すように、左右に内部のスピーカからの音を外部に出力するための放音口２０１ａ，２０１ｂが形成されており、さらにマイクロホンのジャックが接続されるマイクロホン接続口２０２、ヘッドホンのジャックが接続されるヘッドホン接続口２０３、および無線ＬＡＮのオン／オフスイッチ２０４が備えられている。
【００３２】
図５は、図１〜図３に示すノートＰＣの、閉状態における奥側の側面を示した図である。
【００３３】
本体ユニット２０の奥側の側面には、この図５に示すように、この図５の右側から順に、ＭＯＤＥＭ回線接続口２０５、外部モニタ用の接続コネクタ２０６、後述する本体ユニット２０内のファンからの送風の排気口２０７、ビデオ出力端子２０８、ＬＡＮ接続端子２０９、２つのＵＳＢ接続端子２１０ａ，２１０ｂ、および盗難防止用のワイヤを接続するためのロック孔２１１が設けられている。
【００３４】
ここで、排気口２０７の奥には、後述する放熱部材２４０（図１１参照）の放熱フィン２４１が覗いている。
【００３５】
図６は、図１〜図３に示すノートＰＣの、閉状態における右側の側面を示す図である。
【００３６】
本体ユニット２０の右側面には、この図６に示すように、ＡＣアダプタ（図示せず）からの電源ケーブル接続用の電源ケーブル接続口２１２、ＩＥＥＥ１３９４接続端子２１３、ＵＳＢ接続端子２１４、複数種類（ここでは４種類）の記録メディアの挿入が可能なメディア挿入口２１５、および、ＰＣカードが挿入されるＰＣカード挿入口２１６が設けられている。このＰＣカード挿入口２１６には、上下２枚の蓋部材２１７，２１８が設けられている。これらの蓋部材２１７，２１８は、このＰＣカード挿入口２１６からＰＣカードが挿入されていないときは図６に示すように閉じた状態となるように本体ユニット２０の筐体内部からバネ付勢されており、ＰＣカードが差し込まれると、そのＰＣカードの先端に押されて、２枚の蓋部材２１７，２１８のうちの上側の蓋部材２１７は、上縁２１７ａを中心に上に持ち上がるように回動し、また、下側の蓋部材２１８は、下縁２１８ａを中心に下に倒れるように回動してＰＣカード挿入口２１６を開く構造となっている。また、このＰＣカード挿入口２１６の横には、このＰＣカード挿入口２１６から挿入されたＰＣカードを抜くときに押されるイジェクトボタン２１９が配置されている。
【００３７】
図７は、図１〜図３に示すノートＰＣの、閉状態の左側の側面を示す図である。
【００３８】
本体ユニット２０の左側面には、この図７に示すように、ＣＤやＤＶＤが装填されてアクセスされるディスクドライブユニット２２０の端面が配置されている。イジェクトボタン２２１を押すと、本体ユニット２０の筐体内部からＣＤやＤＶＤを載せるためのトレイが飛出し、そのトレイの上にＣＤ又はＤＶＤを載せてそのトレイを押し込む。こうすることによりそのＣＤ又はＤＶＤがアクセスされる。トレイ上に載せたＣＤやＤＶＤを取り出すときも同様である。
【００３９】
この本体ユニット２０の筐体には、そのディスクドライブユニット２２０の端面と同一形状の開口が形成されており、メンテナンス時には、工具を使ってこのディスクドライブユニット２２０の全体を本体ユニット２０の筐体内部から抜き出すことができ、再挿入することができる。
【００４０】
以上はノートＰＣ全体の概要説明であり、以下ではこのノートＰＣの各部の詳細について説明する。
［放熱フィンの送風入口部分の構造］
図８は、ノートＰＣの本体ユニットの上面を、蓋部材を外して示した図、図９は、本体ユニット上面のキーボードの直ぐ奥側を示した拡大図である。
【００４１】
図１に示したように、本体ユニット２０上面のキーボード２１の直ぐ奥には、左右に長い蓋部材２８が備えられており、図８に示すようにその蓋部材２８を開けると、そこに本体ユニット２０の筐体に設けられた開口２３１があらわれ、その開口２３１内には、放熱部材２４０（図１１参照）の放熱フィン２４１の送風入口部分２４１ａがあらわれる。放熱部材２４０の詳細説明は後に譲るが、この放熱フィン２４１の送風入口部分には、ファン２５０（図１０参照）からの送風が当たり塵埃が堆積し易い。その部分に塵埃が堆積するとファン２５０からの送風の流れが悪くなり冷却能力が下がり、本体ユニット２０の筐体内部が高温となり、動作不良の原因や部品の故障の原因となる。そこで、このノートＰＣ１０では、蓋部材２８を外すと、そこに、その放熱フィン２４１の送風入口部分２４１ａを覗かせる開口２３１があらわれ、その送風入口部分２４１ａに堆積した塵埃を容易に取り除くことができる。放熱フィン２４１の送風入口部分２４１ａを覗かせている開口２３１を塞ぐ蓋部材２８は、図９にその裏面を示すように、左右の両端に位置決め用の爪２８１，２８２が形成され、中央部分３箇所にロック用の爪２８３，２８４，２８５が形成されている。
【００４２】
これらの爪２８１〜２８５のうちの位置決め用の爪２８１，２８２は、本体ユニット２０の筐体に設けられた位置決め用の穴２３２，２３３に嵌入し、ロック用の爪２８３〜２８５は、それぞれ、本体ユニット２０の筐体に設けられたロック用の穴２３４〜２３６にそれぞれ入り込み、これにより蓋部材２８が開口２３１を塞いだ状態に取り付けられる。
【００４３】
また、本体ユニット２０の筐体には、蓋部材２８を取り付けたときのその蓋部材２８の筐体側に爪又は指先を掛けるための空間を形成する凹部２３７が形成されており、その凹部２３７を利用して蓋部材２８の下に爪又は指先を掛けて持ち上げることにより、この蓋部材２８を容易に取り外すことができる。
【００４４】
図１０は、本体ユニットの筐体の上カバーおよびキーボードを取り外して、ファンおよび放熱部材の部分を示した図、図１１は、図１０と同一の状態の本体ユニットの放熱部材の部分を図１０とは角度を変えて示した図である。
【００４５】
ファン２５０の囲りには、様々な多数の回路部品が搭載されたメイン基板２５１が広がっており、ファン２５０および回路基板２５１の上には、いくつかの開口が形成された金属板２５２が広がっている。また、この金属板２５２は、放熱部材２４０の上にも広がっている。ただし、この放熱部材２４０はその上面がファン２５０の上面よりも高い位置にあり、このため、この金属板２５２の放熱部材２４０の上面の覆う部分２５２ａは、放熱部材２４０の高さに合わせて盛り上がった形状となっている。
【００４６】
この金属板２５２は、その下の回路基板に対する電磁シールドの役割りを成すとともにこの上に置かれるキーボード２１（図１参照）の台としての役割も担っている。
【００４７】
図１２は、さらに金属板を取り外し、ファンと放熱部材の平面的な位置関係を示した図である。
【００４８】
放熱部材２４１の下には、ＣＰＵと称されるＬＳＩと、チップセットと称されるＬＳＩとの２つの大きなＬＳＩが配置されており、この放熱部材２４１はそれら２つのＬＳＩで発生する熱の放熱を担っている。この点についての詳細は後述する。
【００４９】
ファン２５０からの風は、放熱部材２４０に設けられた放熱フィン２４１にその送風入口部分２４１ａから送り込まれ、この放熱フィン２４１の間を通過する間に放熱フィン２４１の熱を奪って温められ、本体ユニット２０の筐体の、奥側の側面に設けられた開口２０７（図５を合わせて参照）から装置外部に排気される。
［放熱部材の構造］
図１３は、放熱部材の平面図、図１４は、放熱部材の斜視図である。
【００５０】
この放熱部材２４０は、水平に広がるベース板２４２と、そのベース板２４２に固定されてそのベース板２４２上に立設した多数枚の放熱フィン２４１と、ベース板２４２の左右に両側に水平に広がる一対のアーム板２４３，２４４を有する。これら２つのアーム板２４３，２４４それぞれの手前側および奥側には、この放熱部材２４０をネジ止めにより固定するための締結部２４３ａ，２４３ｂ；２４４ａ，２４４ｂが設けられている。また、この放熱部材２４０は、放熱フィン２４１の上部および両側部に広がる固定板２４５を備えており、一対のアーム板２４３，２４４は、その固定板２４５の延長上に形成されている。
【００５１】
図１５は、メイン基板上の発熱部品を示した図である。
【００５２】
ここには、図１４に示す放熱部材２４０によって冷却される２つの発熱部品である、ＣＰＵ２５３ａと、そのＣＰＵ２５３ａに近接配置されたチップセット２５４ａが示されている。これらＣＰＵ２５３ａとチップセット２５４ａとの２つの発熱部品のうち、ＣＰＵ２５３ａの方がチップセット２５４ａよりも強く発熱し、したがってＣＰＵ２５３ａは放熱部材２４０によってより効率的に放熱されるようにベース板２４２の下に置かれ、そのＣＰＵ２５３ａでの発熱はベース板２４２を介して放熱フィン２４１の下側からその放熱フィン２４１に伝熱される。一方、チップセット２５４ａは、左右両側のアーム板２４３，２４４のうちの一方のアーム板（ここではアーム板２４３）の下に置かれ、そのチップセット２５４ａでの発熱はアーム板２４３、固定板２４５を経由して放熱フィン２４１の上側からその放熱フィン２４１に伝熱される。
【００５３】
図１６は、ＣＰＵおよびチップセットからなる２つの発熱部品と、それらの発熱部品の上に接触する放熱部材の下面を示した図である。
【００５４】
放熱部材２４０は、ＣＰＵ２５３ａとチップセット２５４ａの上に、伝熱性のグリスを挟んで密着するように配置され、一対のアーム板２４３，２４４に備えられた各２つずつの締結部２４３ａ，２４３ｂ；２４４ａ，２４４ｂがメイン基板２５１上の４つのネジ穴２５１ａ，２５１ｂ，２５１ｃ，２５１ｄに重ねられてネジ止めされるが、そのときに、ＣＰＵ２５３ａの中央ａが放熱部材２４０のベース板２４２のほぼ中央ａ′に密着し、チップセット２５４ａの中央ｂが、一方のアーム板２４３の、部分的に下に凸の段差を持つ部分２４３ｃの中央ｂ′に密着する。アーム部材２４３の段差については後述する。
【００５５】
図１７は、図１５、図１６に示す例と比べＣＰＵとチップセットの配置が異なる別のメイン基板を示す図である。
【００５６】
ここで説明しているノートＰＣ１０（図１参照）には、ＣＰＵおよびチップセットのメーカが異なる２種類のノートＰＣが存在し、図１５、図１６は２種類のノートＰＣのうちの１種類のノートＰＣのメイン基板上のＣＰＵ２５３ａとチップセット２５４ａの配置位置を示しており、この図１７は、もう１種類のノートＰＣのメイン基板上のＣＰＵ２５３ｂとチップセット２５４ｂの配置位置を示している。
【００５７】
この図１７に示すＣＰＵ２５３ｂおよびチップセット２５４ｂは、図１５、図１６に示すＣＰＵ２５３ａおよびチップセット２５４ａと比べ、それらの配置位置がおおむね入れ替わった位置関係にある。
【００５８】
図１８は、図１７に示す種類のノートＰＣにおける、ＣＰＵとチップセットからなる２つの発熱部品と、それらの発熱部品の上に接触する放熱部材の下面を示した図である。
【００５９】
放熱部材２４０は、図１６に示す、先に説明した種類のノートＰＣの場合と同様、ＣＰＵ２５３ｂとチップセット２５４ｂの上に伝熱性のグリスを挟んで密着するように配置され、一対のアーム板２４３，２４４に備えられた各２つずつの締結部２４３ａ，２４３ｂ；２４４ａ，２４４ｂがメイン基板２５１上の４つのネジ穴２５１ａ，２５１ｂ，２５１ｃ，２５１ｄに重ねられてネジ止めされるが、そのときに、ＣＰＵ２５３ｂの中央ｃが放熱部材２４０のベース板２４２のほぼ中央ｃ′に密着し、チップセット２５４ｂの中央ｄが、一方のアーム板２４４の中央ｄ′に密着する。
【００６０】
ここで、図１６に示す第１の種類のノートＰＣにおけるＣＰＵ２５３ａの高さを基準としたときの、その第１の種類のノートＰＣにおけるチップセット２５４ａの高さと、図１８に示す第２の種類のノートＰＣにおけるＣＰＵ２５３ｂの高さを基準としたときのその第２の種類のノートＰＣにおけるチップセット２４４ｂの高さが異なっており、放熱部材２４３を構成するアーム板２４３の、下に凸の段差を持つ部分２４３ｃは、いずれのチップセット２４４ａ，２４４ｂについても密着するように、これらのチップセット２４４ａ，２４４ｂの高さの相違を吸収するために設けられたものである。
【００６１】
こうすることにより、２つの種類のノートＰＣのメイン基板２５１上の、ＣＰＵ２５３，２５３ｂの高さと４つのネジ穴２５１ａ，２５１ｂ，２５１ｃ，２５１ｄを合わせておき、同一形状の放熱部材２４０を、それら２種類のノートＰＣのいずれにも採用することができる。
［ハードディスクドライブユニット装着部の構造］
図１９は、ノートＰＣの本体ユニット２０の底面を示した斜視図である。
【００６２】
ここには、ハードディスクドライブユニット装着用の開口を塞ぐ蓋部材２６１、バッテリ装填用の開口を塞ぐ蓋部材２６２、および、メモリカード装着用の開口を塞ぐ蓋部材２６３が示されている。
【００６３】
図２０は、図１９に示すノートＰＣの本体ユニットの底面を、ハードディスクドライブユニット装着用の開口を塞ぐ蓋部材２６１を取り外して示した図である。
【００６４】
ここには、本体ユニット２０の底面の、ハードディスクドライブユニット２７０を収容するための開口２６５が形成されており、その開口２６５内にはハードディスクドライブユニット２７０が収容されている。
【００６５】
図２１は、ハードディスクドライブユニットを収容する開口、およびその開口内に収容されたハードディスクドライブユニットを示す拡大図である。
【００６６】
このハードディスクドライブユニット２７０を開口２６５から取り出すには、２つのネジ２６４ａ，２６４ｂを外してシート２７１を矢印Ａ方向に引くことにより、後述するコネクタの結合が外れ、このハードディスクドライブユニット２７０をこの開口２６５から取り出すことができる。ハードディスクドライブユニット２７０をこの開口２６５に収容するには、このハードディスクドライブユニット２７０を、開口２６５内の、図２１に示す位置よりも矢印Ａ方向に少しずれた位置に置き、そのハードディスクドライブユニット２７０を矢印Ａとは反対の向きに押すことにより後述するコネクタが結合し、さらに２本のネジ２６４ａ，２６４ｂでネジ止めすることにより、ハードディスクドライブユニット２７０が開口２６５内に正しく収容される。
【００６７】
ここで、この開口２６５には、その左右から開口２６５内に突出した一対の突起部２６６ａ，２６６ｂを有し、ハードディスクドライブユニット２７０の手前側が斜めに持ち上がった状態、あるいはハードディスクドライブユニット２７０の全体が浮き上がった状態のままコネクタを結合させようとすると、ハードディスクドライブユニット２７０がそれらの突起部２６６ａ，２６６ｂに干渉し、コネクタの結合が行なわれず、コネクタの誤結合やコネクタピンの折れ曲がり等の不具合の発生が防止される。詳細は後述する。また、この開口２６５の両側には、さらに別の突起部２６７ａ，２６７ｂ；２６８ａ，２６８ｂも存在するが、それらの突起部２６７ａ，２６７ｂ；２６８ａ，２６８ｂは、この開口２６５を覆う蓋部材２６１（図１９、図３１参照）を係止するための突起部である。
【００６８】
図２２〜図２４は、ハードディスクドライブユニットをそれぞれ別々の角度から見て示す図、図２５は、ハードディスクドライブユニットに備えられたユニット側コネクタの斜視図である。
【００６９】
このハードディスクドライブユニット２７０には、金属製の枠体２７２が備えられており、この枠体２７２は、その左右に折れ曲がった部分でハードディスクドライブ本体にネジ止めされている。この金属製の枠体２７２は、このハードディスクドライブユニット２７０の強度を保つ役割りのほか、内部のハードディスクおよび磁気ヘッドに対する電磁シールドの役割りを担っている。この枠体２７２に設けられた多数の孔は、軽量化のためであり、強度およびシールド性を損なわない範囲で軽量化が図られている。
【００７０】
またこの金属製の枠体２７２にはもう１つの役割りがあり、このハードディスクドライブユニット２７０が上述したような正しくない姿勢でコネクタ結合が行なわれようとしたときに、図２１に示す、開口２６５に突出した突起部２６６ａ，２６６ｂに干渉する干渉部２７２ａ，２７２ｂが設けられている。
【００７１】
また、このハードディスクドライブユニット２７０の先端には、ユニット側コネクタ２７３が備えられている。このユニット側コネクタ２７３には、図２５に示すように、上下２段に配列された多数の接続ピン２７３ａが備えられている。
【００７２】
図２６は、ハードディスクドライブユニットに備えられたユニット側コネクタと結合する装置側コネクタを示す図である。
【００７３】
ハードディスクドライブユニット２７０に備えられたユニット側コネクタ２７３に多数の接続ピン２７３ａが上下２段に並んでいることに対応して、装置側コネクタ２６９には、ユニット側コネクタに上下２段に配列された接続ピン２７３ａがそれぞれ挿入される、上下２段に配列された多数のピン挿入口２６９が形成されている。
【００７４】
図２７は、ハードディスクドライブユニットが収容される開口の一方の側面を示した斜視図である。
【００７５】
ここには、前述した突起部２６６ａが備えられている。この突起部２６６ａの下は、ハードディスクドライブユニット２７０の金属製の枠体２７２ａ（図２２参照）がその突起部２６６ａの下を通過できるようになっている。この開口２６５のもう一方の側面に設けられた突起部２６６ｂ（図２１参照）も同様である。
【００７６】
図２８、図２９は、ハードディスクドライブユニットを開口に収容しようとしてそのハードディスクドライブを開口内に正しく配置した状態を示した図である。
【００７７】
ハードディスクドライブユニット２７０は、開口２６５内の、図２８、図２９に示す位置に置かれ、その後矢印Ｂ方向に押されてユニット側コネクタ２７３と装置側コネクタ２６９が結合する。ここでは、ハードディスクドライブユニット２７０は、正規の位置に正しく置かれているため、そのハードディスクドライブユニット２７０の金属製の枠体２７に設けられた干渉部２７２ａ，２７２ｂは、開口２６５内に突出した突起部２６６ａ，２６６ｂには干渉せずに、突起部２６６ａ，２６６ｂの下を通過する。
【００７８】
図３０は、ハードディスクドライブユニットの後ろが持ち上がった状態で開口に配置された様子を示す図である。
【００７９】
この場合、ハードディスクドライブユニット２７０を、この図３０に示す姿勢のまま、コネクタ２６９，２７３を結合させようとして矢印Ｂ方向に動かそうとすると、突起部２６６ａ，２６６ｂに干渉部２７２ａ，２７２ｂが衝突し、コネクタ２６９，２７３を結合させることができず、無理な姿勢による結合により接続されることによる、接続ピン２７９ａの折れ曲がり等の事故が防止される。
【００８０】
この図３０には、ハードディスクドライブユニット２７０の手前側が持ち上がって斜めになっている状態を示したが、ハードディスクドライブユニット２７０の全体が水平に浮いた状態にある場合も同様であり、ユニット側コネクタ２７３の、上下２段に配列された接続ピン２７３ａのうちの下段に配列された接続ピンが、装置側コネクタ２６９の上下２段に配列されたピン挿入口２６９ａ（図２７参照）のうちの上段のピン挿入口に挿入されてしまうという誤結合も防止される。ハードディスクドライブユニット２７０が、干渉部２７２ａ，２７２ｂが突起部２６６ａ，２６６ｂの上を通過するほどに斜めに傾いた状態では、無理矢理に力を加えれば下段の接続ピン２７３ａが上段のピン挿入口に入り込むことも有り得るが、その場合は干渉部２７２ａ，２７２ｂが突起部２６６ａ，２６６ｂの上に位置することになり、ハードディスクドライブユニット２７０を開口２６５内に収容することができず、その開口２６５を覆う蓋２６１（図１９参照）を取り付けることができず、ハードディスクドライブユニット２７０が正しく収容されていないことが一目で分かることになる。
【００８１】
さらに、ハードディスクドライブユニット２７０が開口２６５内に正しく収容されているときは、干渉部２７２ａ，２７２ｂは突起部２６６ａ，２６６ｂの下に位置しており、したがってそのハードディスクドライブユニット２７０をその開口２６５から取り出すときにも、コネクタ２６９，２７３の結合を外すよりも前に後ろ側を持ち上げることはできず、ユニット側コネクタ２７３が装置側コネクタ２６９から正しい姿勢で引き抜かれる。
【００８２】
図３１は、ハードディスクドライブユニットが収容される開口を塞ぐ蓋部材の裏面を示す図である。
【００８３】
この蓋部材２６１の裏面には、開口２６５（図２１参照）の奥側に入り込む２つの突起３０１ａ，３０１ｂと、開口２６５の左右側面から開口２６５内に突出した２つの突起部２６７ａ，２６７ｂに係合する２つの突起爪３０２ａ，３０２ｂと、開口２６５の後端側において開口２６５の左右の側面から突出した２つの突起部２６４ａ，２６４ｂに係合する２つの係合爪３０３ａ，３０３ｂを有する。また、この蓋部材２６１の後部側にはネジ止め用の孔３０４が設けられている。この蓋部材２６１は、２つの突起３０１ａ，３０１ｂ、２つの突起爪３０２ａ，３０２ｂ、および２つの係合爪３０３ａ，３０３ｂをそれぞれ係合させて、さらにネジ止め用の孔３０４を使ってネジ止めすることにより、図１９に示すように開口が塞がれた状態となる。
［ＰＣカードスロット］
図３２は、ＰＣカードスロットを示す斜視図、図３３は、図３２にも示すＰＣカードスロットを、図６に示す２つの蓋部材のうちの下向きに開く蓋部材を開けて示す斜視図である。
【００８４】
ここに示すＰＣカードスロット２８０は、図１に示すノートＰＣ１０の本体ユニット２０を構成する筐体内の、その本体ユニット２０の左側の側面に設けられたＰＣカード挿入口２１６（図６参照）の直ぐ内側に、そのＰＣカード挿入口２１６と向き合う向きに配置されており、そのＰＣカードスロット２１６を通って挿入されてきたＰＣカードを受け入れる金属製の枠体で構成され、上下に２枚のＰＣカードを収容する構成となっている。このＰＣカードスロット２８０の下には、このＰＣカードスロット２８０に挿入されたＰＣカードをアクセスする回路が搭載された回路基板が備えられており、その回路基板と金属製の枠体からなるＰＣカードスロット２８０との間の電気的な絶縁を確保するために、それらの回路基板とＰＣカードスロット２８０との間に絶縁シート２８１が敷かれ、その前端２８１ａは、ＰＣカード挿入口２１６（図６参照）の直ぐ内側にまで広がっている。
【００８５】
ＰＣカード挿入口２１６は、図６を参照して説明したように、上下２枚の蓋部材２１７，２１８で開放自在に閉じられており、このＰＣカード挿入口２１６にＰＣカードが挿入されると、そのＰＣカードの先端が蓋部材２１７，２１８に当たり、上側の蓋部材２１７に当たるとその蓋部材２１７は上縁２１７ａを中心に上に持ち上がるように回動し、下側の蓋部材２１８に当たるとその蓋部材２１８はその下縁２１８ａを中心に下に倒れるように回動して、ＰＣカード挿入口２１６からＰＣカードが受け入れられる。
【００８６】
図３３は、ＰＣカード挿入口２１６を塞ぐ上下２枚の蓋部材のうちの下側の蓋部材２１８が開いた様子を示している。この蓋部材２１８は、開いた状態では、絶縁シート２８１の前端２８１ａを覆い、このため、このＰＣカード挿入口２１６から挿入されてきたＰＣカードはその絶縁シート２８１の前端２８１ａに当たることが防止され、その絶縁シート２８１のめくれが防止される。
【００８７】
図３４は、本実施形態のノートＰＣのＰＣカードスロット（Ａ）と、従来のＰＣカードスロット（Ｂ）とを比較して示す図である。
【００８８】
従来のＰＣカードスロット（Ｂ）の場合、絶縁シート２８１の前端部は両面テープでその下の回路基板に貼着されている。回路基板の前端は絶縁シート２８１の前端２８１ａと同一である。しかしながら、ＰＣカードが少し斜め下向きに挿入されると、ＰＣカードの前端面が絶縁シート２８１の前端２８１ａに当たり、それが何度か繰り返し生じると絶縁シート２８１がめくれ上がり、ＰＣカード前端でその下の回路基板が傷つけられ、動作不良となるおそれがある。
【００８９】
そこで、本実施形態のノートＰＣでは、回路基板はむしろ短かめ（図３４（Ａ）に示す一点鎖線の位置まで）とし、絶縁シート２８１をＰＣカード挿入口２１６（図６参照）にさらに近ずく位置まで広げている。こうすることにより、図３２に示すように絶縁シート２８１の前端２８１ａは下向きに開いた蓋部材２１８に覆われ、絶縁シート２８１を回路基板に接着する必要もなく絶縁シート２８１のめくれが防止され、回路基板の損傷も防止される。また、絶縁シート２８１を回路基板に接着する必要がないため組立工数も削減される。
［ディスクドライブユニット装着部の構造］
図３５は、ノートＰＣの本体ユニットの筐体のうちの上カバーを取り外して示したディスクドライブユニットの斜視図である。
【００９０】
このディスクドライブユニット２２０は、図７に示すように、ノートＰＣ１０の本体ユニット２０の、左側の側面の開口から挿入されて、その本体ユニット２０の筐体内に配置されたものである。
【００９１】
図３６は、本体ユニット筐体の、ディスクドライブユニットが挿入されるディスクドライブユニット収容部を示した図、図３７は、そのディスクドライブユニット収容部の一方の側端部を示した図、図３８は、そのディスクドライブユニット収容部のもう一方の側端部を示した図である。
【００９２】
ディスクドライブユニット２２０は、ディスクドライブユニット収容部３１０に収容される際は、両側部のレール２１１，２１２に案内されながら、ディスクドライブユニット２２０に設けられたコネクタ（図示せず）が装置側のコネクタ３１３と結合する位置まで挿入される。この正規の位置まで挿入されると、ディスクドライブユニット２２０の表面は、図７に示すように、ノートＰＣ１０の本体ユニット２０の筐体の表面に対し同一面となる。
【００９３】
ここで、このディスクドライブユニット収容部３１０の両側には、それぞれメイン基板２５１（図３８参照）とサブ基板３２０（図３６参照）が配備されており、ディスクドライブユニット収容部３１０を横切って、それらの回路基版２５１，３２０を電気的に接続するためのフラットケーブル３２１が配置されている。あるいはフラットケーブル３２１に代えてフレキシブル配線基板であってもよい。このフラットケーブル３２１は、このディスクドライブユニット収容部３１０にディスクドライブユニット２２０が収容されると、そのディスクドライブユニット２２０の下に位置し、このため、何らの対策も講じなかった場合、このディスクドライブユニット収容部３１０に挿入されてきたディスクドライブユニット２２０にフラットケーブル３２１が引っ掛かり断線等の事故が生じるおそれがある。そこで、ここでは、フラットケーブル３２１の下にシート３２２を敷き、さらにそのシート３２２をディスクドライブユニット２２０の挿入開口に近い側で折り返してそのフラットケーブル３２１の上にもシート３２２を配置している。このシート３２２は挿入開口から離れた側で、粘着テープ３２３で、そのディスクドライブユニット収容部３１０の床に貼着されている。
【００９４】
ここでは、シート３２２を上記のように折り返してフラットケーブル３２１を包む込むことにより、ディスクドライブユニット２２０が挿入される際のフラットケーブル３２１の引っ掛かりが防止され、断線等の不良の発生が抑えられている。
【００９５】
図３９は、サブ基板およびフラットケーブルを取り外して、そのサブ基板の下に敷かれたシートを示した図である。
【００９６】
サブ基板の下には、本体ユニットの筐体とサブ基板とが電気的に接触するのを防止するための絶縁シート３２４が敷かれており、図３６、図３７に示す、フラットケーブル３２１を包むシート３２２は、その絶縁シート３２４を延長して形成したものである。ここではこのように、フラットケーブル３２１を包むシート３２２を、サブ基板下の絶縁シート３２４を延長して形成することにより、部品点数の増加が防止されている。
【００９７】
図４０は、メイン基板とサブ基板との双方を取り外して、それらの基板の下に広がる絶縁シートを示した図である。
【００９８】
メイン基板の下にも、絶縁シート３２５が敷かれており、サブ基板下の絶縁シート３２４とメイン基板下の絶縁シート３２５は、サブ基板下の絶縁シート３２４がディスクドライブユニット収容部３１０を横切ってメイン基板側に延び、その絶縁シート３２４の先端部３２４ａがメイン基板下の絶縁シート３２５と若干だけ重ねられている。
【００９９】
ここでは、このような広がりを持つ絶縁シート３２４，３２５のうちのサブ基板側の絶縁シート３２４を使い、ディスクドライブユニット収容部３１０を横切るフラットケーブル３２１を包むことにより、そのディスクドライブユニット収容部３１０に挿入されてきたディスクドライブユニット２２０へのフラットケーブル３２１の引っ掛かりの防止が図られている。
【符号の説明】
【０１００】
１０    ノートＰＣ
２０    本体ユニット
２１    キーボード
２２ａ，２２ｂ    押ボタン
２３    指紋センサ
２４    電源ボタン
２５    表示ランプ
２６    ファンクションボタン
２７    穴
２８    蓋部材
３０    表示ユニット
３１    ロック爪
３２    ロック解除ボタン
３３    表示画面
４０    ヒンジ機構
２０７    排気口
２１７，２１８    蓋部材
２２０    ディスクドライブユニット
２２１    イジェクトボタン
２３１    開口
２３２，２３３，２３４，２３５，２３６    穴
２３７    凹部
２４０    放熱部材
２４１    放熱フィン
２４１ａ    送風入口部分
２４２    ベース板
２８１，２８２，２８３，２８４，２８５    爪    
２４３    アーム板
２４３ａ，２４３ｂ    締結部
２４３ｃ    凸の段差を持つ部分
２４４  アーム板
２４４ａ，２４４ｂ    締結部
２４５    固定板
２５０    ファン
２５１    メイン基板
２５２    金属板
２５２ａ    上面の覆う部分
２５４ａ，２５４ｂ    チップセット
２６１    蓋部材
２６５    開口
２６６ａ，２６６ｂ    突起部
２６９    装置側コネクタ
２６９ａ    ピン挿入口
２７０    ハードディスクドライブユニット
２７１    シート
２７２    枠体
２７２ａ，２７２ｂ    干渉部  ２７３
２７３ａ    接続ピン
２８０    ＰＣカードスロット
２８１    爪
２８１ａ    前端
３１０    ディスクドライブユニット収容部
３１１，３１２    レール
３１３    コネクタ
３２０    サブ基板
３２１    フラットケーブル
３２２    シート
３２３    粘着テープ
３２４    アーム板
３２５    絶縁シート
【図１】
2011216125.tif 000003
【図２】
2011216125.tif 000004
【図３】
2011216125.tif 000005
【図４】
2011216125.tif 000006
【図５】
2011216125.tif 000007
【図６】
2011216125.tif 000008
【図７】
2011216125.tif 000009
【図８】
2011216125.tif 000010
【図９】
2011216125.tif 000011
【図１０】
2011216125.tif 000012
【図１１】
2011216125.tif 000013
【図１２】
2011216125.tif 000014
【図１３】
2011216125.tif 000015
【図１４】
2011216125.tif 000016
【図１５】
2011216125.tif 000017
【図１６】
2011216125.tif 000018
【図１７】
2011216125.tif 000019
【図１８】
2011216125.tif 000020
【図１９】
2011216125.tif 000021
【図２０】
2011216125.tif 000022
【図２１】
2011216125.tif 000023
【図２２】
2011216125.tif 000024
【図２３】
2011216125.tif 000025
【図２４】
2011216125.tif 000026
【図２５】
2011216125.tif 000027
【図２６】
2011216125.tif 000028
【図２７】
2011216125.tif 000029
【図２８】
2011216125.tif 000030
【図２９】
2011216125.tif 000031
【図３０】
2011216125.tif 000032
【図３１】
2011216125.tif 000033
【図３２】
2011216125.tif 000034
【図３３】
2011216125.tif 000035
【図３４】
2011216125.tif 000036
【図３５】
2011216125.tif 000037
【図３６】
2011216125.tif 000038
【図３７】
2011216125.tif 000039
【図３８】
2011216125.tif 000040
【図３９】
2011216125.tif 000041
【図４０】
2011216125.tif 000042